(57)【要約】【課題】集中受信機のプログラム、分散受信機のプログラム、主中継器のプログラムを１つのメモリに格納し、そのうちの１つのプログラムを使用する場合、上記火災受信機を提供することを目的とするものである。【解決手段】集中受信機のプログラム、分散受信機のプログラム、主中継器のプログラムを格納しているメモリと、ディップスイッチと、電源投入時に、上記ディップスイッチの設定を読み込むディップスイッチ設定読込手段と、上記集中受信機のプログラム、上記分散受信機のプログラム、上記主中継器のプログラムのうちで、上記ディップスイッチに設定されているプログラムを実行するプログラム実行手段とを有する火災受信機である。【選択図】図５
2007323195.tif 000002
【特許請求の範囲】
【請求項１】
集中受信機のプログラム、分散受信機のプログラム、主中継器のプログラム等、種別の異なる複数の火災受信装置のプログラムを格納しているメモリと；
スイッチと；
電源投入時に、上記スイッチの設定を読み込むスイッチ設定読込手段と；
上記種別の異なる複数の火災受信装置のプログラムのうちで、上記スイッチに設定されているプログラムを実行するプログラム実行手段と；
を有することを特徴とする火災受信装置。
【請求項２】
請求項１において、
上記メモリは、上記種別の異なる複数の火災受信装置のプログラムのうちで、共通する部分を１つのプログラムに置換えて格納しているメモリであることを特徴とする火災受信装置。
【発明の詳細な説明】
【技術分野】
【０００１】
本発明は、火災受信装置として動作する動作プログラムをモード別（種別毎）に複数備え、どのモードで動作するかをスイッチで指定する火災受信装置に関する。
【背景技術】
【０００２】
従来、火災受信機は、自動火災報知設備の全体を監視し、中央制御するための動作を実行する。小さな建物を火災監視する場合、その全体を、１台の火災受信機単独で火災監視する（以下、この火災受信機を、「集中受信機」という）。
【０００３】
一方、大きな建物等、１台の火災受信機では賄うことができない場合、火災受信機の他に、火災受信機の機能を分散した分散中継器を用いるシステム、または、複数の火災受信機を組み合わせて監視するシステム等、分散型のシステムが配置される（以下、この火災受信機を、「分散受信機（分散型火災受信機）」といい、分散中継器を、「分散中継器（主中継器）」という）（たとえば、特許文献１、特許文献２参照）。
【０００４】
これらの集中受信機、分散受信機、分散中継器（以下、総称して、「火災受信装置」という）において、伝送線を介した端末機器の監視制御は、共通である。
【特許文献１】特開平５-２１７０８８号公報
【特許文献２】特開２００２-１７０１７７号
【発明の開示】
【発明が解決しようとする課題】
【０００５】
従来の火災受信装置では、集中受信機のプログラム、分散受信機のプログラム、主中継器のプログラムは、互いに別々のプログラムで作成されている。そして、互いに別々のメモリに書き込まれ、これらメモリ単体や基板取付状態で保管、管理されている。
【０００６】
そして、上記集中受信機のプログラム、分散受信機のプログラム、主中継器のプログラムのうちで、必要なプログラムが書き込まれたメモリを搭載した基板を、ハードウェア（火災受信装置）に実装する。
【０００７】
上記従来例において、集中受信機のプログラム、分散受信機のプログラム、主中継器のプログラムを、互いに別々のメモリに格納し、これらメモリ単体や別基板として保管、管理するので、部品や在庫の管理が煩雑であるという問題がある。
【０００８】
本発明は、集中受信機のプログラム、分散受信機のプログラム、主中継器のプログラムを１つのメモリに格納し、そのうちの１つのプログラムを使用するようにして、部品や在庫の管理が容易となる火災受信装置を提供することを目的とするものである。
【課題を解決するための手段】
【０００９】
本発明は、集中受信機のプログラム、分散受信機のプログラム、主中継器のプログラム等、種別の異なる複数の火災受信装置のプログラムを格納しているメモリと、スイッチと、電源投入時に、上記スイッチの設定を読み込むスイッチ設定読込手段と、上記種別の異なる複数の火災受信装置のプログラムのうちで、上記スイッチに設定されているプログラムを実行するプログラム実行手段とを有する火災受信装置である。
【発明の効果】
【００１０】
本発明によれば、集中受信機のプログラム、分散受信機のプログラム、主中継器のプログラムを１つのメモリに格納し、そのうちの１つのプログラムを使用するようにして、部品や在庫の管理を容易とすることができるという効果を奏する。
【発明を実施するための最良の形態】
【００１１】
発明を実施するための最良の形態は、以下の実施例である。
【実施例１】
【００１２】
図１は、本発明の実施例１の説明図であり、分散型の火災報知システムＦＡを示す図である。
【００１３】
分散型の火災報知システムＦＡは、分散型火災受信機（分散受信機）ＲＥ１と、分散中継器１〜６４（主中継器）とが、ＬＡＮを介して接続され、それぞれが、伝送線を介して接続されている端末機器の監視制御を行う火災受信装置として機能する。この分散型の火災報知システムＦＡは、それぞれが取得した防災情報を、ＬＡＮを介して送受信し、防災情報を共有することができる。
【００１４】
図２は、本発明の実施例１である分散受信機ＲＥ１を含む火災報知設備ＦＡ１のシステム構成を示すブロック図である。
【００１５】
火災報知設備ＦＡ１は、端末機器として、差動式スポット型感知器ＳＥ１と、光電式スポット型感知器ＳＥ２と、熱アナログ感知器ＳＥ３と、光電式アナログ感知器ＳＥ４と、アドレッサブル発信機ＳＥ５と、ショートサーキットアイソレータＳＣＩと、防排煙制御用中継器Ｃ１と、火災監視用中継器Ｃ２、Ｃ３、Ｃ８と、地区音響制御用中継器Ｃ４と、ガス漏れ検知用中継器Ｃ５と、防排煙制御用中継器Ｃ６と、中継器Ｃ７とを有する。これらは、伝送線（１系統）を介して、分散受信機ＲＥ１に接続されている。
【００１６】
また、火災報知設備ＦＡ１は、メッセージ表示機Ｄ１、Ｄ２、〜、Ｄ３１と、各中継器に接続される機器として、一般型感知器ＳＥ６、ＳＥ７、ＳＥ８と、ガス漏れ検知器ＳＥ９と、Ｐ型発信機Ｇ１、Ｇ２と、地区ベルＢＬと、防排煙機器（設備）ＤＳ１、ＤＳ２とを有し、さらに、ＬＡＮによって、火災報知設備ＦＡ１が火災受信装置ＲＥ２に接続される。
【００１７】
差動式スポット型感知器ＳＥ１は、いわゆる熱感知器であって、火災による熱（温度上昇）を検出し、火災であると判別されたときに、火災信号を送信する。光電式スポット型感知器ＳＥ２は、いわゆる煙感知器であって、火災による煙を検出し、火災であると判別されたときに、火災信号を送信する。熱アナログ感知器ＳＥ３は、熱感知器の一種であって、火災による熱を検出するために、周囲温度のアナログ値を送信する。
【００１８】
光電式アナログ感知器ＳＥ４は、煙感知器の一種であって、煙のアナログ値を送信する。アドレッサブル発信機ＳＥ５は、いわゆる火災発信機であって、火災の発見者が手動操作する押しボタンを備え、火災信号を送信する。
【００１９】
ショートサーキットアイソレータＳＣＩは、後段の伝送線の短絡発生時に、後段の伝送線を切り離す装置であって、通常、信号伝送の必要はないが、分散受信機ＲＥ１からの復旧信号を受信し、復旧するものもある。ここでは、後段の伝送線の短絡解消時に、回復信号を送信する。
【００２０】
防排煙制御用中継器Ｃ１は、分散受信機ＲＥ１からの制御信号を受信して、接続される防排煙機器ＤＳ１を制御する。火災監視用中継器Ｃ２、Ｃ３は、信号線を介して一般型感知器または火災発信機が接続され、それらからの火災信号（スイッチング動作）を受信して、火災信号を送信する。火災監視用中継器Ｃ２は、自動試験機能付火災感知器を接続することができる。
【００２１】
地区音響制御用中継器Ｃ４は、分散受信機ＲＥ１からの制御信号を受信して、接続されている地区ベルＢＬを鳴動させる。ガス漏れ検知用中継器Ｃ５は、信号線を介してガス漏れ検知器ＳＥ９が接続され、信号（スイッチング動作）を受信して、ガス漏れ信号を送信する。
【００２２】
防排煙制御用中継器Ｃ６は、防排煙制御用中継器Ｃ１と同様である。中継器Ｃ７は、従来の中継器である。火災監視用中継器Ｃ８は、火災監視用中継器Ｃ３と同様である。
【００２３】
火災受信装置ＲＥ２は、ＬＡＮ伝送を行う火災受信装置であって、図１に示す分散中継器１〜６４である。なお、火災受信装置ＲＥ２は、図１に示す分散中継器１〜６４の代わりに、分散受信機ＲＥ１とは別の分散受信機としてもよい。
【００２４】
図３は、分散受信機ＲＥ１を示すブロック図である。
【００２５】
分散受信機ＲＥ１は、ＬＡＮを介して火災受信装置ＲＥ２との間で防災情報を送受信するＬＡＮ伝送基板Ｂ５、ＭＣＵ基板（制御部）２０とを有し、ＭＣＵ基板２０は、動作プログラムを格納するフラッシュＲＯＭ４０、ＲＡＭ（不図示）、モード（種別）を選択するディップスイッチＳＷ１、メモリカードＭＣ１を有する。
【００２６】
また、分散受信機ＲＥ１は、ＰＳＵ基板１０と、プリンタＰＲ１と、ＯＰＯ基板Ｂ１と、ＯＰＩＮ基板Ｂ２と、ＯＰＰＳ基板Ｂ３、Ｂ４と、スピーカＳＰ１と、インバータＩＮＶ１と、タッチパネルＴＰとして作用するＬＣＤ３０と、電話ジャックＪ１と、ＣＴＵ基板（伝送基板）Ｂ６〜Ｂｎと、ＡＣ／ＤＣ電源ＡＣ／ＤＣと、予備電源ＢＴとを有する。
【００２７】
ＰＳＵ基板１０は、ＡＣ／ＤＣ電源ＡＣ／ＤＣとしてのＡＣ／ＤＣコンバータによってＡＣ１００Ｖから生成された直流電圧、ＤＣ２４Ｖを各基板１０、２０、Ｂ３〜Ｂｎに電源供給する基板であり、また、ＯＰＯ基板Ｂ１、ＯＰＩＮ基板Ｂ２に対して、移報を制御する基板である。ＭＣＵ基板２０は、主制御ユニット基板であり、表示部・メイン処理用の基板であり、スロットＳＬ１を介して、メモリカードＭＣ１が挿入、接続される。ＯＰＯ基板Ｂ１は、移報出力用基板である。ＯＰＩＮ基板Ｂ２は、移報入力用基板である。
【００２８】
ＯＰＰＳ基板Ｂ３、Ｂ４は、端末機器の電源供給用基板であり、中継器Ｃ１〜Ｃ８の２次側に接続された端末機器（たとえば地区ベルＢＬ）に電源を供給する基板である。ＬＡＮ伝送基板Ｂ５は、火災受信装置ＲＥ２接続用基板であり、ＬＡＮを介して、火災受信装置ＲＥ２と接続される基板である。
【００２９】
インバータＩＮＶ１は、ＬＣＤ３０のバックライトを駆動する電源を制御するものである。
【００３０】
タッチパネルＴＰとして作用するＬＣＤ３０は、入力および表示手段の例である。
【００３１】
ＣＴＵ基板Ｂ６〜Ｂｎは、端末機器と接続する伝送基板であり、２系統分の伝送線を制御する。
【００３２】
ＡＣ／ＤＣ電源ＡＣ／ＤＣは、商用交流電源ＡＣ１００Ｖを所定の直流電圧、ＤＣ２４Ｖの電源電圧に変換してＰＳＵ基板１０に出力するものである。予備電源ＢＴとしてのバッテリは、ＡＣ１００Ｖによって、ＰＳＵ基板１０、トランス、充電回路を介して常時充電され、ＡＣ１００Ｖの停電時に、ＡＣ／ＤＣ電源ＡＣ／ＤＣの代わりに、直流電圧ＤＣ２４ＶをＰＳＵ基板１０に供給する。
【００３３】
なお、図２に示すように、ＰＳＵ基板１０の電源部（ＡＣ／ＤＣ電源ＡＣ／ＤＣおよび予備電源ＢＴ）からの電源電圧ＤＣ２４Ｖは、電源線を介して、各基板１０、２０、Ｂ３〜Ｂｎに電源供給される。
【００３４】
ディップスイッチＳＷ１は、たとえば、２つのディップスイッチＳＷ１１、ＳＷ１２によって構成され、これらのオンオフの組み合わせによって、「集中受信機のモード」、「分散受信機のモード」、「分散中継器のモード」のうちの１つのモードを選択する。なお、残り１つは、「モード選択なし」としてもよい。
【００３５】
また、メモリカードＭＣ１は、火災受信装置の種別、端末機器情報、連動情報等のデータベースを格納する。
【００３６】
分散中継器１〜６４は、図３に示す分散受信機ＲＥ１から、タッチパネルＴＰとして作用するＬＣＤ３０、インバータＩＮＶ１を省略した（表示部、操作部を省略した）中継器である。
【００３７】
また、集中受信機（不図示）は、図３に示す分散受信機ＲＥ１から、ＬＡＮ伝送基板を省略して、自動火災報知設備の全体の監視を１台で行う受信機である。
【００３８】
図４は、フラッシュＲＯＭ４０の格納内容を示す図である。
【００３９】
フラッシュＲＯＭ４０には、基本プログラム４１と、集中受信機動作プログラム４２と、分散受信機動作プログラム４３と、分散中継器動作プログラム４４とが格納されている。
【００４０】
集中受信機動作プログラム４２と、分散受信機動作プログラム４３と、分散中継器動作プログラム４４とは、複数のモードの動作プログラムである。
【００４１】
図５は、フラッシュＲＯＭ４０に格納されている基本プログラム４１の処理を示すフローチャートである。
【００４２】
まず、火災受信装置ＲＥ１、ＲＥ２は、基本プログラム４１で動作して、図５に示すフローチャートに対応する動作を実行し、電源投入の起動時に、ディップスイッチＳＷ１の設定状態を読み、モードを判別し、この判別されたモードの動作プログラムを、フラッシュＲＯＭ４０から取得し、動作する。
【００４３】
なお、メモリカードＭＣ１内のデータベースを読み込んでＲＡＭに格納する際に、データベース内の「火災受信装置の種別」を参照し、ディップスイッチＳＷ１の設定と、データベース設定とが一致しなければ、つまり、ディップスイッチＳＷ１で選択された火災受信装置のモードと、メモリカードＭＣ１内のデータベースの火災受信装置の種別とが一致しなければ、ディップスイッチＳＷ１の設定とデータベース設定とが一致していないことをＬＣＤ３０に表示する。そして、その状態で動作を停止して、不一致による暴走等が起こり得る異常なシステムを立ち上げない。
【００４４】
つまり、電源起動し（Ｓ１）、ディップスイッチＳＷ１の設定を読み込み（Ｓ２）、設定内容が集中受信機であれば（Ｓ３）、メモリカードＭＣ１内のＤＢ（データベース）設定を読み込み、ＲＡＭに格納し（Ｓ４）、ディップスイッチＳＷ１の設定とＤＢ設定とが一致していれば、つまり、データベースにおける火災受信装置の種別が集中受信機であれば（Ｓ５）、集中受信機動作プログラム４２を取得、実行して、集中受信機として起動する（Ｓ６）。ディップスイッチＳＷ１の設定とＤＢ設定が不一致であれば（Ｓ５）、その旨を表示する（Ｓ７）。そして、その状態で動作を停止して、不一致による暴走等が起こり得る異常なシステムを立ち上げない。
【００４５】
一方、ディップスイッチＳＷ１による設定内容が、集中受信機でなく（Ｓ３）、分散受信機であれば（Ｓ１１）、メモリカードＭＣ１内のＤＢの設定を読み込み、ＲＡＭに格納し（Ｓ１２）、ディップスイッチＳＷ１の設定とＤＢ設定が一致していれば、つまり、データベースにおける火災受信装置の種別が分散受信機であれば（Ｓ１３）、分散受信機動作プログラム４３を取得、実行して、分散受信機として起動する（Ｓ１４）。
【００４６】
ディップスイッチＳＷ１による設定内容が、分散受信機でなく（Ｓ１１）、主中継器であれば（Ｓ２１）、メモリカードＭＣ１内のＤＢ設定を読み込み、ＲＡＭに格納し（Ｓ２２）、ディップスイッチＳＷ１の設定とＤＢ設定とが一致していれば、つまり、データベースにおける火災受信装置の種別が主中継器であれば（Ｓ２３）、分散中継器動作プログラム４４を取得、実行して、主中継器（分散中継器）として起動する（Ｓ２４）。
【００４７】
次に、火災受信装置は、Ｓ６、Ｓ１４、またはＳ２４で取得した動作プログラムに基づいて、集中受信機動作プログラム４２、分散受信機動作プログラム４３、分散中継器動作プログラム４４のいずれかによる監視制御動作を行う。
【００４８】
図６は、フラッシュＲＯＭ４０に格納されている集中受信機動作プログラム４２の動作を示すフローチャートである。
【００４９】
操作スイッチの状態を読み込み（Ｓ７１）、ＣＴＵ基板Ｂ６〜Ｂｎから端末機器の状態読み込み（Ｓ７２）、上記２つの状態に応じた表示制御を行い（Ｓ７４）、上記２つの状態に応じたＣＴＵ基板制御を行う（Ｓ７５）。
【００５０】
図７は、フラッシュＲＯＭ４０に格納されている分散受信機動作プログラム４３の動作を示すフローチャートである。
【００５１】
操作スイッチの状態を読み込み（Ｓ５１）、ＣＴＵ基板Ｂ６〜Ｂｎから端末機器の状態を読み込み（Ｓ５２）、ＬＡＮ伝送基板Ｂ５から火災受信装置（分散受信機・分散中継器）の状態を読み込み（Ｓ５３）、上記３つの状態に応じた表示制御を行い（Ｓ５４）、上記３つの状態に応じたＣＴＵ基板制御を行い（Ｓ５５）、上記３つの状態に応じたＬＡＮ伝送基板制御を行う（Ｓ５６）。
【００５２】
図８は、分散中継器動作プログラム４４の動作を示すフローチャートである。
【００５３】
ＣＴＵ基板Ｂ６〜Ｂｎから端末機器の状態を読み込み（Ｓ６２）、ＬＡＮ伝送基板から火災受信装置（分散受信機・分散中継器）の状態を読み込み（Ｓ６３）、上記２つの状態に応じたＣＴＵ基板制御を行い（Ｓ６５）、上記２つの状態に応じたＬＡＮ伝送基板制御を行う（Ｓ６６）。
【００５４】
このように、伝送線を介して行う端末機器の監視制御動作（上記Ｓ５２、Ｓ６２、Ｓ７２およびＳ５５、Ｓ６５、Ｓ７５）は、火災受信機の単独モード（集中受信機のモード）、火災受信機の分散モード（分散受信機のモード）、分散中継器モードで共通であるが、火災受信機の単独モードでは、火災情報等の防災情報を伝送線（ＬＡＮ）を介して送受信する（たとえば、上記Ｓ５３およびＳ５６）必要がなく、受信した火災情報等の防災情報に基づいた動作も行わない。分散中継器モードでは、盤面での表示操作に関する動作（たとえば、上記Ｓ５１およびＳ５４）が不要である。
【実施例２】
【００５５】
図９は、本発明の実施例２である火災受信機において、フラッシュＲＯＭ４０の代わりに使用されるフラッシュＲＯＭ５０の格納内容を示す図である。
【００５６】
フラッシュＲＯＭ５０は、図４に示すフラッシュＲＯＭ４０において、集中受信機動作プログラム４２、分散受信機動作プログラム４３、分散中継器動作プログラム４４の代わりに、基本動作プログラム５１、集中受信機サブ動作プログラム５２、分散受信機サブ動作プログラム５３、分散中継器サブ動作プログラム５４が格納されている。
【００５７】
基本動作プログラム５１は、集中受信機動作プログラム４２、分散受信機動作プログラム４３、分散中継器動作プログラム４４に共通な処理に対応するプログラムである。つまり、Ｓ５２、Ｓ６２、Ｓ７２は、端末状態の読み込みという互いに同じ処理であり、共通する処理であり、これら共通の処理が、基本動作プログラム５１の内容であり、また、Ｓ５５、Ｓ６５、Ｓ７５は、ＣＴＵ基板制御という互いに同じ処理であり、これらの処理が基本動作プログラム５１に含まれている。
【００５８】
集中受信機サブ動作プログラム５２、分散受信機サブ動作プログラム５３、分散中継器サブ動作プログラム５４は、複数のモードに対して、上記共通の処理以外に必要な処理を含む。つまり、集中受信機サブ動作プログラム５２は、上記共通の処理外の処理として、Ｓ７１、Ｓ７４の処理を含む。分散受信機サブ動作プログラム５３は、上記共通の処理外の処理として、Ｓ５１、Ｓ５３、Ｓ５４、Ｓ５６の処理を含む。分散中継器サブ動作プログラム５４は、上記共通の処理外の処理として、Ｓ６３、Ｓ６６の処理を含む。
【００５９】
そして、基本動作プログラム５１と、選択されたモードのモード別サブ動作プログラム５２、５３、５４を取得することによって、図６〜８のいずれかの動作プログラムを取得し、監視制御動作を行う。
【００６０】
なお、Ｓ５１，Ｓ７１またはＳ５４，Ｓ７４は、それぞれ共通化して１つのプログラムとすることができる。また、Ｓ５３、Ｓ６３またはＳ５６、Ｓ６６も同様に、それぞれ共通化して１つのプログラムとすることができる。
【００６１】
実施例２では、集中受信機のプログラム、分散受信機のプログラム、主中継器のプログラムを１つのメモリ（フラッシュＲＯＭ）に格納し、そのうちの１つのプログラムを使用する場合、上記メモリに格納するメモリ容量を少なくすることができる。
【実施例３】
【００６２】
図１０は、本発明の実施例３である火災受信機において、フラッシュＲＯＭ４０の代わりに使用されるフラッシュＲＯＭ６０の格納内容を示す図である。
【００６３】
フラッシュＲＯＭ６０は、図４に示すフラッシュＲＯＭ４０において、集中受信機動作プログラム４２、分散受信機動作プログラム４３、分散中継器動作プログラム４４の代わりに、一体化動作プログラム６１、集中受信機削除動作ステップ記憶部６２、分散受信機削除動作ステップ記憶部６３、分散中継器削除動作ステップ記憶部６４が設けられている。
【００６４】
一体化動作プログラム６１は、各火災受信装置用の動作プログラムに必要な全ての処理を含み、実際には、図７のフローチャートに示す分散受信機動作プログラム４３と同様である。
【００６５】
そして、各火災受信装置用削除動作ステップ記憶部６２〜６４は、各火災受信装置の処理（ステップ）として不用な一体化動作プログラム６１の処理（ステップ）を格納する。つまり、集中受信機削除動作ステップ記憶部６２は、図７に示すＳ５３、Ｓ５６を格納し、分散受信機削除動作ステップ記憶部６３は、「何もなし」を格納し、分散中継器削除動作ステップ記憶部６４は、Ｓ５１、Ｓ５４を格納する。
【００６６】
そして、一体化動作プログラム６１を取得し、さらに、選択されたモードの削除動作ステップ記憶部６２〜６４を取得し、一体化動作プログラム６１の処理（ステップ）から、削除動作ステップ記憶部６２〜６４に記憶されている処理（ステップ）、つまり、削除すべき処理（ステップ）を削除し、これにより、図６〜８のいずれかの動作プログラムを取得し、監視制御動作を行う。
【００６７】
実施例３では、集中受信機のプログラム、分散受信機のプログラム、主中継器のプログラムを１つのメモリ（フラッシュＲＯＭ）に格納し、そのうちの１つのプログラムを使用する場合、上記メモリに格納するメモリ容量を少なくすることができる。
【００６８】
つまり、上記実施例は、集中受信機のプログラム、分散受信機のプログラム、主中継器のプログラム等、種別の異なる複数の火災受信装置のプログラムを格納しているメモリと、スイッチと、電源投入時に、上記スイッチの設定を読み込むスイッチ設定読込手段と、上記種別の異なる複数の火災受信装置のプログラムのうちで、上記スイッチに設定されているプログラムを実行するプログラム実行手段とを有する火災受信装置の例である。
【００６９】
この場合、上記メモリは、上記種別の異なる複数の火災受信装置のプログラムのうちで、共通する部分を１つのプログラムに置換えて格納しているメモリである。
【図面の簡単な説明】
【００７０】
【図１】本発明の実施例１の説明図であり、分散型の火災報知システムＦＡを示す図である。
【図２】本発明の実施例１である火災受信機ＲＥ１を含む火災報知設備ＦＡ１のシステム構成を示すブロック図である。
【図３】分散受信機ＲＥ１を示すブロック図である。
【図４】フラッシュＲＯＭ４０の格納内容を示す図である。
【図５】フラッシュＲＯＭ４０に格納されている基本プログラム４１の処理を示すフローチャートである。
【図６】フラッシュＲＯＭ４０に格納されている集中受信機動作プログラム４２の動作を示すフローチャートである。
【図７】フラッシュＲＯＭ４０に格納されている分散受信機動作プログラム４３の動作を示すフローチャートである。
【図８】分散中継器動作プログラム４４の動作を示すフローチャートである。
【図９】本発明の実施例２である火災受信装置において、フラッシュＲＯＭ４０の代わりに使用されるフラッシュＲＯＭ５０の格納内容を示す図である。
【図１０】本発明の実施例３である火災受信装置において、フラッシュＲＯＭ４０の代わりに使用されるフラッシュＲＯＭ６０の格納内容を示す図である。
【符号の説明】
【００７１】
ＦＡ…分散型の火災報知システム、
ＦＡ１…火災報知設備、
ＲＥ１…分散受信機、
ＲＥ２…火災受信装置、
ＳＷ１…ディップスイッチ、
４０…フラッシュＲＯＭ、
４１…基本プログラム、
４２…集中受信機動作プログラム、
４３…分散受信機動作プログラム、
４４…分散中継器動作プログラム、
５０…フラッシュＲＯＭ、
５１…基本動作プログラム、
５２…集中受信機サブ動作プログラム、
５３…分散受信機サブ動作プログラム、
５４…分散中継器サブ動作グログラム、
６０…フラッシュＲＯＭ、
６１…一体化動作プログラム、
６２…集中受信機削除動作ステップ記憶部、
６３…分散受信機削除動作ステップ記憶部、
６４…分散中継器削除動作ステップ記憶部。
【図１】
2007323195.tif 000003
【図２】
2007323195.tif 000004
【図３】
2007323195.tif 000005
【図４】
2007323195.tif 000006
【図５】
2007323195.tif 000007
【図６】
2007323195.tif 000008
【図７】
2007323195.tif 000009
【図８】
2007323195.tif 000010
【図９】
2007323195.tif 000011
【図１０】
2007323195.tif 000012